(57)【要約】【課題】収納室へ物を容易に出し入れできる収納室の構造を提供する。【解決手段】収納室３に、複数の支柱１０・・・が仕切部材４によって仕切られる面と平行に所定間隔で、かつ、前記仕切られる面より後方に離間して設置されており、支柱１０，１０間に棚１１，１５，２０がその先端部を支柱１０より前方に突出させて配置されるとともに前記支柱１０に取り付けられているので、棚１１，１５，２０に物を出し入れする際に、支柱１０が邪魔になることがなく、よって収納室３へ物を容易に出し入れできる。【選択図】図３
2008285963.tif 000002
【特許請求の範囲】
【請求項１】
居室に隣接し、建具やカーテン等の仕切部材によって仕切られた収納室の構造であって、
前記収納室に、複数の支柱が前記仕切部材によって仕切られる面と平行に所定間隔で、かつ、前記仕切られる面より後方に離間して設置されており、
前記支柱間に棚がその先端部を前記支柱より前方に突出させて配置されるとともに前記支柱に取り付けられていることを特徴とする収納室構造。
【請求項２】
請求項１に記載の収納室構造において、
前記棚は、第1取付金具を介して前記支柱に取り付けられており、
前記第１取付金具は、前記棚の側端面と底面とに当接する第１金具本体と、この第１金具本体の端部に設けられ、前記支柱に形成された取付孔に係止される第１係止部とを備えていることを特徴とする収納室構造。
【請求項３】
請求項１または２に記載の収納室構造において、
前記棚は、第２取付金具を介して前記支柱に取り付けられており、
前記第２取付金具は、前記棚の側端部の底面に係合する第２金具本体と、この第２金具本体の中央部に設けられ、前記支柱に形成された取付孔に係止される第２係止部とを備えていることを特徴とする収納室構造。
【請求項４】
請求項１〜３のいずれか一項に記載の収納室構造において、
前記棚は箱形であり、上下に所定間隔で配置されていることを特徴とする収納室構造。
【請求項５】
請求項１〜４のいずれか一項に記載の収納室構造において、
隣り合う前記支柱間に、前記居室と収納室との間を行き来可能とする開口部が設けられていることを特徴とする収納室構造。
【請求項６】
請求項１〜５のいずれか一項に記載の収納室構造において、
前記収納室は、複数の居室に隣接しており、これら居室とそれぞれ仕切部材によって仕切られていることを特徴とする収納室構造。
【発明の詳細な説明】
【技術分野】
【０００１】
本発明は、居室に隣接し、建具やカーテン等の仕切部材によって仕切られた収納室の構造に関する。
【背景技術】
【０００２】
押し入れや収納室などの中に設置されるクローゼット用立体枠の構造の一例として特許文献１に記載のものが知られている。
このクローゼット用立体枠の構造は、パイプよりなる支柱に収納部材を着脱自在に取り付けるためのスリットを形成し、この支柱を前後左右に複数立設し、前後左右の支柱の上部を横架材にて着脱自在に連結すると共に少なくとも下部においては左右方向に支柱同士を非連結状態とし、支柱に床乃至壁への固着手段を設け、上部の横架材に板状をした網体でなる天袋用の地板を載置し、地板の前部を下方に向けて垂下して前垂下部とし、該前垂下部の上端部の両側と地板の後端部の両側に切り欠きを設け、該切り欠きを支柱にはめ込んでなるものである。
【特許文献１】特許第２６５４１４１号公報
【発明の開示】
【発明が解決しようとする課題】
【０００３】
ところで、上記のようなクローゼット用立体枠の構造では、左右方向に並んで立設されている支柱が、クローゼットの入口に沿って配置されるので、棚は支柱より後方に位置することなる。したがって、支柱が邪魔になって棚に物を出し入れし難いという問題があった。
【０００４】
本発明は上記事情に鑑みてなされたもので、収納室へ物を容易に出し入れできる収納室の構造を提供することを課題としている。
【課題を解決するための手段】
【０００５】
上記課題を解決するために、請求項１に記載の発明は、例えば図１〜図３に示すように、居室１，２に隣接し、建具やカーテン等の仕切部材４によって仕切られた収納室３の構造であって、
前記収納室３に、複数の支柱１０・・・が前記仕切部材４によって仕切られる面と平行に所定間隔で、かつ、前記仕切られる面より後方に離間して設置されており、
前記支柱１０，１０間に棚１１，１５，２０がその先端部を前記支柱１０より前方に突出させて配置されるとともに前記支柱１０に取り付けられていることを特徴とする。
【０００６】
ここで、「後方」とは、収納室３の奥側のことを意味し、「前方」とは収納室３からみて居室側のことを意味する。
【０００７】
請求項１に記載の発明によれば、支柱１０が、仕切部材４によって仕切られる面より後方に離間して設置されており、棚１１，１５，２０がその先端部を支柱１０より前方に突出させて配置されるとともに支柱１０に取り付けられているので、棚１１，１５，２０に物を出し入れする際に、支柱１０が邪魔になることがなく、よって収納室３へ物を容易に出し入れできる。
【０００８】
請求項２に記載の発明は、例えば図１、図３、図４に示すように、請求項１に記載の収納室構造において、
前記棚１１は、第1取付金具１２を介して前記支柱１０に取り付けられており、
前記第１取付金具１２は、前記棚１１の側端面と底面とに当接する第１金具本体１３と、この第１金具本体１３の端部に設けられ、前記支柱１０に形成された取付孔１０ａに係止される第１係止部１４とを備えていることを特徴とする。
【０００９】
請求項２に記載の発明によれば、第１金具本体１３が棚１１の側端面と底面とに当接するので、この第１金具本体１３によって棚１１の側端面（木口）を覆って隠すことができるとともに、棚１１の底面を下方から確実に支持できる。そして、第１金具本体１３の端部に設けられた第１係止部１４を、支柱１０に形成された取付孔１０ａに係止することによって、棚１１を第１取付金具１２を介して支柱１０に確実に取り付けることができる。
【００１０】
請求項３に記載の発明は、例えば図１、図３、図５〜図７に示すように、請求項１または２に記載の収納室構造において、
前記棚１５，２０は、第２取付金具１６を介して前記支柱１０に取り付けられており、
前記第２取付金具１６は、前記棚１５，２０の側端部の底面に係合する第２金具本体１７と、この第２金具本体１７の中央部に設けられ、前記支柱１０に形成された取付孔１０ａに係止される第２係止部１８とを備えていることを特徴とする。
【００１１】
請求項３に記載の発明によれば、第２金具本体１７が棚１５，２０の側端部の底面に係合するので、この第２金具本体１７によって棚１５，２０の底面を下方から確実に支持できる。そして、第２金具本体１７の中央部に設けられた第２係止部１８を、支柱１０に形成された取付孔１０ａに係止することによって、棚１５，２０をその奥行き方向中央部で支柱１０に取り付けることができ、棚１５，２０が安定する。
【００１２】
請求項４に記載の発明は、請求項１〜３のいずれか一項に記載の収納室構造において、
前記棚２０は箱形であり、上下に所定間隔で配置されていることを特徴とする。
【００１３】
請求項４に記載の発明によれば、箱形の棚２０が上下に所定間隔で配置されているので、該箱形の棚２０の内部と、上面との双方に物を収納できる。
【００１４】
請求項５に記載の発明は、例えば図１および図３に示すように、請求項１〜４のいずれか一項に記載の収納室構造において、
隣り合う前記支柱１０，１０間に、前記居室１，２と収納室３との間を行き来可能とする開口部２１が設けられていることを特徴とする。
【００１５】
請求項５に記載の発明によれば、居室１，２と収納室３との行き来を開口部２１を通って行えるので、収納物を収納室３の奥に容易に出し入れできる。
【００１６】
請求項６に記載の発明は、例えば図２に示すように、請求項１〜５のいずれか一項に記載の収納室構造において、
前記収納室３は、複数の居室１，２に隣接しており、これら居室１，２とそれぞれ仕切部材４によって仕切られていることを特徴とする。
【００１７】
請求項６に記載の発明によれば、複数の居室１，２それぞれから収納室３を使用できる。
【発明の効果】
【００１８】
本発明によれば、収納室に、複数の支柱が仕切部材によって仕切られる面と平行に所定間隔で、かつ、前記仕切られる面より後方に離間して設置されており、前記支柱間に棚がその先端部を前記支柱より前方に突出させて配置されるとともに前記支柱に取り付けられているので、棚に物を出し入れする際に、支柱が邪魔になることがなく、よって収納室へ物を容易に出し入れできる。
【発明を実施するための最良の形態】
【００１９】
以下図面を参照して本発明の実施の形態について説明する。
図１は本発明に係る収納室構造の一例を示す斜視図、図２は本発明に係る収納室構造を備えた建物の平面図である。
図２に示すように、建物内には、居室１，２が左右に離間して設けられており、居室１と居室２との間に、両居室１，２から使用可能な収納室３が設けられている。二つの居室１，２と収納室３とは連続した一つの空間となっており、両居室１，２と収納室３との境界部に、床から天井までの高さを有する引違い式の戸（仕切部材）４，４が設けられている。引違い式の戸４は３連のものであり、該引違い式の戸４を開くことによって、収納室３を居室１，２に対して大きく開口できるようになっている。
【００２０】
また、収納室３を画成する壁５には居室１，２の外側にある廊下６から出入り可能な出入口７が設けられており、この出入口７はドア８によって開閉できるようになっている。廊下６は部屋１，２に接続されたもので、収納室３の南側に隣接して設けられており、階段ホール９に接続されている。
また、収納室３の天井には面格子が設けられており、この面格子の上方にある屋根には、開閉可能な天窓が設けられている。したがって、収納室３の上部は面格子を介して天窓に面しており、この天窓から採光や通風を確保できるようになっている。
【００２１】
前記収納室３には、４本の支柱１０・・・が前記引違い式の戸４によって仕切られる面と平行に、かつ、前記仕切られる面より後方に離間して設置されている。支柱１０は金属製の四角パイプで形成されており、その４つの面には、取付孔１０ａ・・・が上下に所定間隔で多数形成されている。また、取付孔１０ａは、支柱の正面と背面とにそれぞれ２列ずつ、左右両側面に一列ずつ上下に所定間隔で形成されている。なお、４本の支柱１０・・・は、図２に示すように、左右両側にある引違い式の戸４，４側にそれぞれ設置されている。また、支柱１０の上端部は収納室３の天井に固定され、下端部は収納室３の床に固定されている。
【００２２】
４本の支柱１０・・・のうち、隣り合う支柱１０，１０間には、棚１１がその先端部を支柱１０より前方に突出させて、かつ引違い式の戸４より内側に配置されており、この棚１１は第１取付金具１２を介して支柱１０に取り付けられている。なお、棚１は長方形板状に形成されたものである。
第１取付金具１２は、図４に示すように、棚１１の側端面と底面とに当接する第１金具本体１３と、この第１金具本体１３の端部に設けられ、前記支柱１０に形成された取付孔１０ａに係止される第１係止部１４とを備えている。
第１金具本体１３は、棚１１の側端面に該側端面を覆うようにして当接する当接板１３ａと、この当接板１３ａと直角に形成されて、棚１１の底面に当接して該底面を下方から支持する支持板１３ｂとから構成されており、支持板１３ｂは当接板１３ａより短くなっている。支持板１３ｂに突部１３ｃが形成されおり、この突部１３ｃは棚１１の下面に形成された孔に挿入されるようになっている。
第１係止部１４は、略Ｌ字状をなしかつ上下に離間して形成された爪１４ａ，１４ａを有しており、この爪１４ａは支柱１０に形成された取付孔１０ａに挿入されたうえで係止されるようになっている。
【００２３】
そして、隣り合う支柱１０，１０間に配置された棚１１は、その両側端面と底面とに、それぞれ第１取付金具１２の第１金具本体１３を当接するとともに、第１係止部１４を支柱１０の正面に形成された取付孔１０ａに係止することによって、支柱１０，１０に取り付けられている。この状態において、棚１１の底面は第１金具本体１３の支持板１３ｂによって下方から支持されており、棚１１の側端面は第１金具本体１３の当接板１３ａによって覆われている。また、棚１１の底面に形成された孔には、支持板１３ｂに形成された突部１３ｃが挿入されている。これによって、棚１１の前方への抜け出が防止されている。
なお、左右に隣り合う棚１１，１１間には所定の隙間が設けられており、支柱１０の正面に２列形成された取付孔１０ａ，１０ａのうち、一方の取付孔１０ａには、一方の棚１１を取り付けるための第１取付金具１２の第１係止部１４が係止しており、他方の取付孔１０ａには、他方の棚１１を取り付けるための第１取付金具１２の第１係止部１４が係止している。
棚１１の取付高さは、第１取付金具１２の第１係止部１４を係止すべき取付孔１０ａを適宜選択することによって、容易に調整できる。
また、図２に示すように、棚１１は支柱１０の正面側と、背面側との双方に、前記第１取付金具１２によって支柱１０に取り付けられている。
【００２４】
また、図１に示すように、左側２本の支柱１０，１０には、棚１１の下方において、３つの棚１５・・・が上下に所定間隔で配置されており、これら棚１５・・・はそれぞれ第２取付金具１６によって支柱１０，１０に取り付けられている。また、棚１５はその先端部を支柱１０より前方に突出させて、かつ引違い式の戸４より内側に配置されている。なお、棚１５は長方形板の両側端部にそれぞれ上方に突出する側板が取り付けられてなるものである。
第２取付金具１６は、図５に示すように、棚１５の側端部の底面に係合する第２金具本体１７と、この第２金具本体１７の中央部に設けられ、支柱１０に形成された取付孔１０ａに係止される第２係止部１８とを備えている。
第２金具本体１７は、細長い板状に形成され、棚１５の側端部の底面を下方から支持する支持板１７ａと、この支持板１７ａの両端部に形成された突部１７ｂ，１７ｂとから構成されており、突部１７ｂ，１７ｂは、棚１５の側端部の底面に形成された孔１５ａ，１５ａ（図６参照）に挿入されるようになっている。
第２係止部１８は、略Ｌ字状に形成された爪１８ａを有しており、この爪１８ａは支柱１０に形成された取付孔１０ａに挿入されたうえで係止されるようになっている。
【００２５】
そして、隣り合う支柱１０，１０間に配置された棚１５は、その両側端部の底面に第２取付金具１６の金具本体１７を係合するとともに、第２係止部１８を支柱１０の正面に形成された取付孔１０ａに係止することによって、支柱１０，１０に取り付けられている。この状態において、棚１５の底面は第２金具本体１７の支持板１７ａによって下方から支持されている。また、棚１５の底面に形成された孔１５ａ，１５ａには、支持板１７ａに形成された突部１７ｂ，１７ｂが挿入されている。これによって、棚１５の前方への抜け出が防止されている。さらに、第２係止部１８を、支柱１０に形成された取付孔１０ａに係止することによって、棚１５はその奥行き方向中央部で支柱に取り付けられている。
【００２６】
また、図１に示すように、右側２本の支柱１０，１０には、３つの棚２０・・・が上下に所定間隔で配置されており、これら棚２０・・・はそれぞれ第２取付金具１６によって支柱１０，１０に取り付けられている。また、棚２０はその先端部を支柱１０より前方に突出させて、かつ引違い式の戸４より内側に配置されている。なお、棚２０は矩形の箱形に形成されており、正面と背面が開口している。
【００２７】
このような棚２０は、前記棚１５と同様に、図７に示すように、両側端部の底面に第２取付金具１６の金具本体１７を係合するとともに、第２係止部１８を支柱１０の正面に形成された取付孔１０ａに係止することによって、支柱１０，１０に取り付けられている。この状態において、棚２０の底面は第２金具本体１７の支持板１７ａによって下方から支持されている。また、棚２０の底面に形成された孔２０ａ，２０ａには、支持板１７ａに形成された突部１７ｂ，１７ｂが挿入されている。これによって、棚２０の前方への抜け出が防止されている。さらに、第２係止部１８を、支柱１０に形成された取付孔１０ａに係止することによって、棚２０はその奥行き方向中央部で支柱に取り付けられている。
【００２８】
また、図１および図３に示すように、中央にある２本の支柱１０，１０間には、居室１（２）と収納室３との間を行き来可能とする開口部２１が設けられている。この開口部２１は前記支柱１０，１０の上端部に棚１１を取り付けているが、前記棚１５や棚２０を取り付けないことにより、支柱１０，１０間に設けられたものである。このような開口部２１は、図２に示すように、４本の支柱列が左右に二組あるので、収納室３の左右両側部においてそれぞれ設けられている。
【００２９】
本実施の形態によれば、支柱１０が、引違い式の戸４によって仕切られる面より後方に離間して設置されており、棚１１，１５，２０がその先端部を支柱１０より前方に突出させて配置されるとともに支柱１０に取り付けられているので、棚１１，１５，２０に物を出し入れする際に、支柱１０が邪魔になることがなく、よって収納室３へ物を容易に出し入れできる。
また、第１金具本体１３が棚１１の側端面と底面とに当接するので、この第１金具本体１３の当接板１３ａによって棚１１の側端面（木口）を覆って隠すことができるとともに、支持板１３ｂによって棚１１の底面を下方から確実に支持できる。そして、第１金具本体１３の端部に設けられた第１係止部１４を、支柱１０に形成された取付孔１０ａに係止することによって、棚１１を第１取付金具１２を介して支柱に確実に取り付けることができる。
【００３０】
さらに、第２金具本体１７が棚１５，２０の側端部の底面に係合するので、この第２金具本体１７の支持板１７ａによって棚１５，２０の底面を下方から確実に支持できる。そして、第２金具本体１７の中央部に設けられた第２係止部１８を、支柱１０に形成された取付孔１０ａに係止することによって、棚１５，２０をその奥行き方向中央部で支柱に取り付けることができ、棚１５，２０が安定する。
また、棚２０が箱形であり、上下に所定間隔で配置されているので、該箱型の棚２０の内部と、上面との双方に物を収納できる。
また、隣り合う支柱１０，１０間に、居室１（２）と収納室３との間を行き来可能とする開口部２１が設けられているので、居室と収納室との行き来を開口部を通って容易に行え、よって、収納物を収納室３の奥に容易に出し入れできる。
また、収納室３は、２つの居室１，２に隣接しており、これら居室１，２とそれぞれ引違い式の戸４によって仕切られているので、２つの居室１，２それぞれから収納室３を使用できる。
【００３１】
また、二つの居室１，２の間に設けられた収納室３を画成する壁５に、二つの居室１，２の外側にある廊下６から出入り可能な出入口７が形成されているので、この出入口７から物を容易に出し入れできる。したがって、二つの居室１，２の間にある収納室３への物の出し入れが便利となる。
また、二つの居室１，２と収納室３とは連続した一つの空間となっており、両居室１，２と収納室３との境界部に、床から天井までの高さを有する引違い式の戸４，４が設けられているので、引違い式の戸４，４を開けることによって、収納室３を居室１，２に対して大きく開口させることができ、収納室３に物を容易に出し入れできる。また、二つの引違い式の戸４，４を開けた際に、両居室１，２と収納室３とが連続した一つの空間となるので、収納室３への風通しがよくなる。
【００３２】
なお、本実施の形態では、居室１，２と収納室３とを仕切る仕切部材として、引違い式の戸４を使用したが、仕切部材はこれに限ることなく、例えば、カーテン、ブラインド、その他の建具であってもよい。
【図面の簡単な説明】
【００３３】
【図１】本発明に係る収納室構造の一例を示すもので、収納室構造を構成する支柱や棚を示す斜視図である。
【図２】同、収納室構造を備えた建物の平面図である。
【図３】同、収納室構造の要部を示す斜視図である。
【図４】同、第１取付金具を示す斜視図である。
【図５】同、第２取付金具を示す斜視図である。
【図６】同、棚を支柱に取り付けている状態を示す斜視図である。
【図７】同、箱形の棚を支柱に取り付けている状態を示す斜視図である。
【符号の説明】
【００３４】
１，２  居室
３  収納室
４  引違い式の戸（仕切部材）
１０  支柱
１０ａ  取付孔
１１，１５，２０  棚
１２  第１取付金具
１３  第１金具本体
１４  第１係止部
１６  第２取付金具
１７  第２金具本体
１８  第２係止部
２１  開口部
【図１】
2008285963.tif 000003
【図２】
2008285963.tif 000004
【図３】
2008285963.tif 000005
【図４】
2008285963.tif 000006
【図５】
2008285963.tif 000007
【図６】
2008285963.tif 000008
【図７】
2008285963.tif 000009